(57)【要約】【課題】  古新聞等を結束するに際して、持ち運びの際にも紐がゆるまず、頑丈で形よく結束することができ、新聞の束をボックスの底から取り出すことができる古新聞プレスボックスを提供する。  また、ボックスの内部両側面及び底部に設けられた紐通し溝は、紐が溝に安定するように改良する。【解決手段】  古新聞等を積載収納するボックスを、四つ折りの新聞紙の面積よりもやや大きめの型枠とし、型枠の内面よりもやや少ない面積の圧し蓋を設け、圧し蓋で新聞を圧縮する。  型枠に底を設けず、型枠の底部を乗せる台座を設けて、本体の型枠と台座部とは切り離すことが出来る構造とする。  また、紐をセットする溝は、カーテンレール状に改良し、紐の両端を固定するための細い溝を紐通し溝上部の型枠に設ける。【選択図】図１
2008030855.tif 000002
【特許請求の範囲】
【請求項１】
四つ折りの新聞紙面積よりやや大きめの型枠と型枠の内面よりもやや少ない面積の圧し蓋を設け、型枠には底を設けず、その底部を乗せる台座および紐の収納部を設け、圧縮して結束された新聞を型枠の底部から取り出すことを特徴とした古新聞プレスボックス。
【請求項２】
型枠の内部両側面及び底部に当たる台座に紐をセットする溝は、紐を包みこむ形のカーテンレール状に改良し、側面の溝両端上部に紐の両端を固定する細い溝を設けた請求項１の古新聞プレスボックス。
【発明の詳細な説明】
【技術分野】
【０００１】  本発明は、古新聞等を型枠（底のない箱）に積載収納し、圧し蓋で圧縮することによって、頑丈で、形よく結束し、結束した新聞を型枠の下部から取り出すことが出来るように工夫した古新聞プレスボックスに関するものである。
【背景技術】
【０００２】  従来、読みおわった古新聞を整理、収納し、結束するための紐通し溝を設けたボックスには、新聞ストッカー（特許文献１）や古新聞ラック（特許文献２）等が存在する。
【特許文献１】実公平７−３０５０３号公報
【特許文献２】特開平９−２６７８１１号公報
【発明の開示】
【発明が解決しようとする課題】
【０００３】（イ）  新聞を紐で強く結束したつもりでも、紐に手をかけて、持ち運びの際には紐がゆるみ、束が変形して、十文字に縛ってもバラけてしまうこともあった。
その原因の第一は新聞を四つ折りにした各折り目部分に隙間があり、それが幾重にも積載されているから、新聞の束には大量の空気が含まれているためである。
第二に古新聞をラック等に積載収納しても、端四面が不揃いとなっているため、束の四側面に凹凸が生じていることも原因である。
（ロ）  従来の新聞収納ボックスは、重い新聞の束を紐に手をかけて持ち上げ、箱の上方から取り出すため、取り出した時点ですでに紐がゆるんでいた。
（ハ）  従来の新聞収納ボックスの紐通し溝は、新聞を入れる際に紐が動き、紐を溝に安定しておくことが困難であった。
本発明は、これらの問題点を解決するためになされたものである。
【課題を解決するための手段】
【０００４】（イ）  四つ折りにした新聞紙の面積よりもやや大きめの型枠と型枠よりもやや少ない面積の圧し蓋を設けて、型枠内に積載収納された古新聞を圧縮する。
（ロ）  本体の型枠には底を設けず、底にあたる台座（紐の収納部）を設け、本体の型枠と底部を分離する構造とする。
（ハ）  紐をセットする溝は、紐を包み込む形のカーテンレール状に改良し、紐の両端を固定するための細い溝を設ける。
以上を特徴とする古新聞プレスボックスである。
【発明の効果】
【０００５】（イ）  積載された新聞の端４面が直角に整って凹凸が少なくなり、新聞の折り目部の空気が除去され、固く圧縮されているため、十文字に縛る必要もなく、紐に手を掛けての持ち運びの際にも紐がゆるまない、頑丈でスマートな束を作ることができる。
（ロ）  重い新聞束を持ち上げることなく、型枠を軽く持ち上げることにより、底部から束を取り出すことが出来る。
（ハ）  セットされた両側の紐が新聞を入れる際に、動いて乱れることなく、紐は溝の中に固定される。
【発明を実施するための最良の形態】
【０００６】  本発明は、型枠の本体（１）および圧し蓋（２）と本体を乗せる下部の台座部（４）で構成し、台座に紐の収納部（５、１６）を設けるものである。
以下、本発明の実施の形態を説明する。
（イ）  上部本体の型枠（１）は、高さ約３８センチ、内面約３０センチ×２１、５センチの底のない型枠である。
（ロ）  型枠（１）の上部に、本体の型枠を上に持ち上げる際に手を掛ける穴（６）と、紐を結ぶ際に手の平が入る大きな窪み（７）を設け、窪みの中央部に紐を固定するための細い溝（９）を設ける。
（ハ）  圧し蓋（２）は、型枠の内側面積よりやや少ない面積で、出し入れの際の把手ベルト（３）を設ける。
（ニ）  本体の型枠内部の両側面と台座に紐をセットする溝（８）を設ける。
（ホ）  溝（８）は、紐を包み込むような形のカーテンレール状の溝（図３）を設け、結束する際には、紐が溝から出るように、溝の各両端の紐を包み込む部分が除かれた溝（１０）を設ける。
（ヘ）  下部の台座部（４）は本体の型枠（１）を置く台座（１３）と紐を収納する「引出し」（５）で構成する。
（ト）  本体の型枠（１）と古新聞（１２）を乗せる台座（１３）は、本体の型枠（１）が下部の台座部（４）と正確に結合し、安定させるために台座部（４）には、型枠（１）の内部に納まる面積で、高さ約６ミリ〜１センチ突起した台座（１３）を設け、台座の中央に紐をセットする溝（８）を設ける。
（チ）  紐束の収納部（１６）は、紐束が回転して紐束の外側から取り出すテープ型の紐が収納できるように円形の仕切り（１８）を設け、その余白はハサミ、カッター等の収納部（１７）とする。
（リ）  引き出し（５）には、本体と台座の溝にセットする紐の取り出し口（１４）を設ける。
本発明は、以上の構成によりなっている。
本発明を使用するときは、以下の方法が最良である。【０００７】（イ）  先ず紐の取り出し口（１４）から紐を取り出し、本体と台座の溝（８）に紐をセットし、紐（１１）の両端は、本体上部の細い溝（９）に挟んで固定する。
（ロ）  紐の収納部（１６）は、紐束が回転し、束の外側から取り出すタイプの紐束を収納するために円形の仕切り（１８）を設けているが、紐束の中心部から紐を取り出すタイプの紐束も収納できる。
（ハ）  新聞紙（１２）を入れ、１０〜２０センチほど溜まったときに手で軽く圧し蓋（２）で圧迫しておく。
型枠に入れた新聞紙等（１２）の端が多少不揃いでも、型枠と圧縮によって形は整えられる。
（ニ）  新聞を取り出すときは、圧し蓋（２）を使って手や足などで強く圧迫し、紐で結んで、本体の穴（６）を持って型枠を上方に持ち上げ、新聞の束は下から容易に取り出すことができる。
（ホ）  取り出した新聞の束は、十文字に縛る必要はないが、なるべく紐を２周して縛れば、驚くほど頑丈でスマートな新聞束の出来上がりである。
【図面の簡単な説明】
【０００８】
【図１】本発明全体の斜視図
【図２】本発明の型枠および新聞を乗せる台座と紐収納部の斜視図
【図３】本発明の型枠内部の側面図
【図４】紐をセットする溝の断面図
【図５】本発明の使用状態を示す型枠の断面図
【符号の説明】
【０００９】  １    本体の型枠
２    圧し蓋
３    把手のベルト
４    台座部
５    紐を収納する引き出し
６    手をかける穴
７    結束する際の窪み
８    紐通し溝
９    紐を固定する溝
１０  溝の両端
１１  紐
１２  古新聞
１３  台座
１４  紐の取り出し口
１５  引き出しの把手
１６  紐の収納部
１７  ハサミ、カッター等の収納部
１８  仕切り
【図１】
2008030855.tif 000003
【図２】
2008030855.tif 000004
【図３】
2008030855.tif 000005
【図４】
2008030855.tif 000006
【図５】
2008030855.tif 000007